(57)【要約】【課題】  顔出し窓から防護服内への放射性物質等の侵入を抑制することができる防護服を提供することを目的とする。【解決手段】  着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、開閉部は、一方の腕筒から胴筒の一方の脇部位及び腰部位を通って一方の脚筒に至る第１開閉部、他方の腕筒から胴筒の他方の脇部位及び腰部位を通って他方の脚筒に至る第２開閉部、及び一方の脚筒から股部位を通って他方の脚筒に至る第３開閉部のうちの少なくとも１つの開閉部を有する。【選択図】  図１
2017020134.tif 000002
【特許請求の範囲】
【請求項１】
着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、
前記開閉部は、一方の腕筒から胴筒の一方の脇部位及び腰部位を通って一方の脚筒に至る第１開閉部、他方の腕筒から胴筒の他方の脇部位及び腰部位を通って他方の脚筒に至る第２開閉部、及び一方の脚筒から股部位を通って他方の脚筒に至る第３開閉部のうちの少なくとも１つの開閉部を有することを特徴とする防護服。
【請求項２】
前記開閉部は、さらに一方の腕筒から前記フードの一方の側部、頂部、他方の側部を通って他方の腕筒に至る第４開閉部を有する請求項１に記載の防護服。
【請求項３】
前記第４開閉部の一端又は両端は、腕筒の先端まで形成されている請求項２に記載の防護服。
【請求項４】
前記第１開閉部の一端又は両端は、腕筒又は／及び脚筒の先端まで形成されている請求項１〜３のいずれか１項に記載の防護服。
【請求項５】
前記第２開閉部の一端又は両端は、腕筒又は／及び脚筒の先端まで形成されている請求項１〜４のいずれか１項に記載の防護服。
【請求項６】
前記第３開閉部の一端又は両端は、脚筒の先端まで形成されている請求項１〜５のいずれか１項に記載の防護服。
【請求項７】
着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、
前記開閉部は、一方の腕筒の先端から胴筒の一方の脇部位を通って一方の腰部位に至る第１開閉部と、他方の腕筒の先端から胴筒の他方の脇部位を通って他方の腰部位に至る第２開閉部と、一方の腕筒の先端から前記フードの一方の側部、頂部、他方の側部を通って他方の腕筒の先端に至る第４開閉部とで形成されていることを特徴とする防護服。
【請求項８】
着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、
前記開閉部は、胴筒の一方の腰部位から一方の脚筒の先端に至る第１開閉部と、胴筒の他方の腰部位から他方の脚筒の先端に至る第２開閉部と、一方の脚筒の先端から股部位を通って他方の脚筒の先端に至る第３開閉部とで形成されていることを特徴とする防護服。
【請求項９】
前記フードの顔出し窓の一部には、着用者の装着する防護マスクに仮止めする粘着シートが取り付けられている請求項１〜８のいずれか１項に記載の防護服。
【請求項１０】
前記フードの顔出し窓の縁部に、当該顔出し窓の大きさを可変にする伸縮性部材を取り付けた請求項１〜９のいずれか１項に記載の防護服。
【請求項１１】
前記腕筒の手首部位の近傍に透光部を設けて、着用者の手首近傍を外部から視認できるようにした請求項１〜１０のいずれか１項に記載の防護服。
【請求項１２】
前記胴筒の胸部の裏面にポケットを設け、当該胸部の前面側から前記ポケットに通じる出入口を形成した請求項１〜１１のいずれか１項に記載の防護服。
【請求項１３】
前記出入口は、スリット状に形成され、前記出入口に被さるフラップを設けた請求項１２に記載の防護服。
【請求項１４】
前記腕筒の先端に、指通し用の指通しリング部を設けた請求項１〜１３のいずれか１項に記載の防護服。
【請求項１５】
少なくとも胴筒におけるファスナの裏面に、補強帯体を取り付けた請求項１〜１４のいずれか１項に記載の防護服。
【請求項１６】
前記防護服は、不透光性材料で形成され、胸部位に窓状透光部を設けた請求項１〜１５のいずれか１項に記載の防護服。
【発明の詳細な説明】
【技術分野】
【０００１】
本発明は、原子力施設内のような放射線管理区域内などで作業する作業員、或は、半導体製造や食品製造などのような塵芥を嫌う作業場での作業員や農薬の散布作業に従事する作業員などが着用するのに好適なつなぎ服である防護服に関するものである。
【背景技術】
【０００２】
従来から例えば原子力施設内や放射線管理区域内などでは、補修、点検或いは清掃のために原子炉の周辺設備に作業者が近づく必要がある場合、作業中に生ずる放射性物質による身体への汚染ないし被ばくを防ぐために、作業者は防護服を着用している。この防護服としては、着用者の胸，腹及び腰を収容する胴筒と脚を収容する脚筒と腕を収容する腕筒と頭を収容する顔出し窓を有するフードとを一体に形成し、ファスナの開閉により着脱を行う開閉部を設けたものがある（例えば、特許文献１参照。）。
【先行技術文献】
【特許文献】
【０００３】
【特許文献１】特開２００５−５５８１３号公報
【発明の概要】
【発明が解決しようとする課題】
【０００４】
ところで、前記の防護服では、開閉部が胴筒の腰部位の前面側中央部からフードの顔出し窓まで設けられており、胴筒の腰部位からフードの顔出し窓までをファスナにより開口して着脱を行えるようにしている。しなしながら、顔に防護マスクを装着した状態で防護服を着てから、ガムテープ等の粘着シートで顔出し窓の全周を防護マスクに接着して顔出し窓から放射性物質が防護服内に侵入するのを防止するが、ファスナ（開閉部）が顔出し窓に繋がっていると、ファスナ及びその近傍の粘着シートへの接着が他の箇所に比べて接着性が悪い。防護服を着た状態で体を動かすと、特に顔の顎は他の箇所に比べて前後に動く範囲が大きく顎が動くと、接着性が悪い箇所が動くので、その箇所から粘着シートが剥がれることもあり得る。
【０００５】
そこで、本発明は、顔出し窓から防護服内への放射性物質等の侵入を抑制することができる防護服を提供することを課題とする。
【課題を解決するための手段】
【０００６】
前記課題を解決するため本発明に係る防護服は、着用者の胸，腹及び腰を収容する胴筒と腕を収容する腕筒と脚を収容する脚筒と頭を収容する顔出し窓を有するフードとを一体に形成して服本体とし、この服本体にファスナの開閉により着脱を行う開閉部を設けた防護服において、前記開閉部は、一方の腕筒から胴筒の一方の脇部位及び腰部位を通って一方の脚筒に至る第１開閉部、他方の腕筒から胴筒の他方の脇部位及び腰部位を通って他方の脚筒に至る第２開閉部、及び一方の脚筒から股部位を通って他方の脚筒に至る第３開閉部のうちの少なくとも１つの開閉部を有することを特徴とする。
【０００７】
このように、開閉部が、第１開閉部、第２開閉部及び第３開閉部のうちの少なくとも１つの開閉部を有することで、開閉部（ファスナ）が顔出し窓に繋がってないので、ガムテープ等の粘着シートで顔出し窓の縁部を防護マスクに接着した際に粘着シートが縁部から剥がれ易くなる箇所がない。その結果、顔出し窓から防護服内への放射性物質等の侵入を抑制することができる  
【０００８】
この場合において、開閉部は、さらに一方の腕筒からフードの一方の側部、頂部、他方の側部を通って他方の腕筒に至る第４開閉部を有することができる。第４開閉部の一端又は両端は、腕筒の先端まで形成されていることが好ましい。第１開閉部の一端又は両端は、腕筒又は／及び脚筒の先端まで形成されていることが好ましい。第２開閉部の一端又は両端は、腕筒又は／及び脚筒の先端まで形成されていることが好ましい。第３開閉部の一端又は両端は、脚筒の先端まで形成されていることが好ましい。
【０００９】
また、本発明に係る防護服は、開閉部が、一方の腕筒の先端から胴筒の一方の脇部位を通って一方の腰部位に至る第１開閉部と、他方の腕筒の先端から胴筒の他方の脇部位を通って他方の腰部位に至る第２開閉部と、一方の腕筒の先端から前記フードの一方の側部、頂部、他方の側部を通って他方の腕筒の先端に至る第４開閉部とで形成されていてもよいし、また、胴筒の一方の腰部位から一方の脚筒の先端に至る第１開閉部と、胴筒の他方の腰部位から他方の脚筒の先端に至る第２開閉部と、一方の脚筒の先端から股部位を通って他方の脚筒の先端に至る第３開閉部とで形成されていてもよい。
【００１０】
これらの場合において、フードの顔出し窓の一部に、着用者の装着する防護マスクに仮止めする粘着シートを取り付けてもよい。フードの顔出し窓の縁部に、当該顔出し窓の大きさを可変にする伸縮性部材を取り付けることができる。また、腕筒の手首部位の近傍に透光部を設けて、着用者の手首近傍を外部から視認できるようにしてもよい。さらに、胴筒の胸部の裏面にポケットを設け、当該胸部の前面側から前記ポケットに通じる出入口を形成することができる。出入口をスリット状に形成し、出入口に被さるフラップを設けることができる。また、腕筒の先端に、指通し用の指通しリング部を設けてもよい。さらに、少なくとも胴筒のファスナの裏面に、補強帯体を取り付けてもよい。また、防護服を不透光性材料で形成し、胸部位に窓状透光部を設けることができる。
【発明の効果】
【００１１】
本発明によれば、顔出し窓から防護服内への放射性物質等の侵入を抑制することができる防護服が得られる。
【図面の簡単な説明】
【００１２】
【図１】本発明に係る防護服の一例を示した正面図である。
【図２】本発明に係る防護服の一例を示した側面図で、（ａ）は開閉部を閉じた状態を示す図、（ｂ）は４つの開閉部をすべて開けた状態を示す図である。
【発明を実施するための形態】
【００１３】
以下、本発明に係る防護服の実施形態を添付図面に基づいて説明する。図１及び図２に示すように、本発明に係る防護服１は、例えば、放射線管理区域内などで作業する作業者が着用するものである。防護服１は、着用者の胸、腹及び腰を包む胴筒２と、腕を包む左右の腕筒３（袖３ともいう）と、脚を包む左右の脚筒４と、頭を包むフード５とを一体に形成し、ファスナ８の開閉により着脱を行う開閉部７を設けたものである。防護服１の素材は、通常の布製や不織布製であるが、吸湿性繊維や非吸湿性繊維などの多層構造布や多層構造の不織布、その他の構造の布地などを用いることができる。防護服１は、服全体は白色など、任意の色を選択した不透光性材料で形成することができる。
【００１４】
胴筒２の前身頃の胸部位の中央には、窓状透光部１１が設けられていることが好ましい。窓状透光部１１は、着用者の胸を外部から視認できるようにするもの、例えば、着用者の胸に入れた警報付ポケット線量計（ＡＰＤ）等を外部から視認できるようにしたものである。窓状透光部１１は、例えば、胸部位に矩形状の開口部を設け、この開口部を透光性を有する透光性素材で塞いで形成してもよい。透光性素材は、例えば、エチレン・酢酸ビニル共重合樹脂（ＥＶＡ樹脂）やポリエステル樹脂等をシート状に形成したもの等である。透光性素材は、開口部を形成する開口端部に縫合、接着、溶着等により取り付けられて開口部が塞がれている。
【００１５】
胴筒２の胸部位の窓状透光部１１の例えば左側の裏面には、例えば四角形のポケット素材の上辺を除く３辺が取り付けられてポケット１２が形成されている。胸部位の裏面に取り付けられていないポケット１２の上辺がその裏面からのポケット１２の裏面側の出入口となる。胸部位には、裏面側の出入口に対応する箇所又はその近傍にその出入口と平行に延びるスリットが形成されており、このスリットが胸部位の前面側からポケットへの出し入れを行える表面側の出入口１３として形成されている。胸部位の表面には、表面側の出入口１３を覆うすなわちカバーするフラップ１４が取り付けられている。
【００１６】
腕筒３における袖口３２にリング状にゴム紐などの伸縮性部材を取り付けて、この袖口３２を狭窄して伸縮可能に形成している。脚筒４の裾口４２にリング状にゴム紐などの伸縮性部材を取り付けて、この裾口４２を狭窄して伸縮可能に形成している。
また、左右の腕筒３の一方又は両方の袖口３２には、指通し用の指通しリング部１８を設けるようにしてもよい。このように、指通しリング部１８を設けることで、防護服１を着る際の腕筒３のめくれを防止することが可能となる。
【００１７】
左右の腕筒３の手首部位の近傍である先端上方側には、透光部１５が設けられていることが好ましい。透光部１５は、着用者の前腕の手首近傍を外部から視認できるようにするもの、すなわち、着用者の前腕の手首近傍に付けた腕時計等を外部から視認できるようにしたものである。透光部１５は、例えば、窓状透光部１１と同様に形成してもよい。すなわち、腕筒３の先端側に開口部を設け、この開口部を透光性素材で塞いで形成してもよい。なお、透光部１５を腕筒３の前腕部位の先端側の周方向の全体に設けてもよい。
【００１８】
フード５の前面側の中央部には、顔出し用に開口した顔出し窓６が設けられている。顔出し窓６は、着用者の防護マスクの目や鼻等の一部を突出させ得る形状、例えば、下部が直線でそれ以外が曲線の略円状、略楕円状等に形成されている。
顔出し窓６の縁部には、ゴム紐などの伸縮性部材６１を取り付けて、この顔出し窓６の大きさを可変に形成することが好ましい。伸縮性部材６１の取付箇所は、顔出し窓６の全周であってもよいが、予め粘着シート１６を取り付ける場合には粘着シート取付箇所以外の箇所であることが好ましい。伸縮性部材６１の取付箇所は、例えば、下部の直線以外の曲線部である。
【００１９】
フード５の顔出し窓６には、着用者の防護マスクに仮止めする粘着シート１６が取り付けられている。粘着シート１６としては、顔出し窓６を防護マスクに仮止めすることができれば特に限定されず、例えば、ガムテープ等でもよい。粘着シート１６は、一部がフード５の顔出し窓６の表面に貼り付けられ、残りが顔出し窓６に延出している。この延出部の粘着部には、離型紙が貼られており、離型紙を剥がし延出部を防護マスクに貼り付けることで、顔出し窓６を防護マスクに仮止めすることが可能となる。粘着シート１６の取付箇所は、顔出し窓６の全周であってもよいが、その一部でもよく、また、１箇所でも２箇所以上でもよい。粘着シート１６の取付箇所は、伸縮性部材６１を取り付ける場合には伸縮性部材取付箇所以外の箇所であることが好ましく、例えば、下部の直線部である。顔出し窓６を防護マスクに仮止めした後に、ガムテープ等のシート状の粘着部材で顔出し窓６の全周を防護マスクに貼り付けて、防護マスクと顔出し窓６との間を密閉することになる。なお、粘着シート１６は、防護マスクと顔出し窓６との間を密閉する粘着部材の一部として使用してもよい。
【００２０】
開閉部７は、ファスナ８の開閉により防護服１の着脱を行うものである。開閉部７は、一方の腕筒３から胴筒２の一方の脇部位及び腰部位を通って一方の脚筒４に至る第１開閉部７ａ、他方の腕筒３から胴筒２の他方の脇部位及び腰部位を通って他方の脚筒４に至る第２開閉部７ｂ、一方の脚筒４から股部位を通って他方の脚筒４に至る第３開閉部７ｃのうちの少なくとも１つ、すなわち、１つ、２つ又は３つの開閉部を有している。なお、本実施形態では、開閉部７が３つの第１〜第３開閉部７ａ、７ｂ、７ｃを有する場合について説明するが、これに限定されるものではない。  
【００２１】
第１開閉部７ａは、一方例えば右側の腕筒３から胴筒２の右側の脇部位及び腰部位を通って右側の脚筒４に至るように形成されていれば特に限定されないが、一端又は両端が腕筒３又は／及び脚筒４の先端まで形成されていることが好ましい。すなわち、第１開閉部７ａは、右側の腕筒３の先端から胴筒２の右側の脇部位及び腰部位を通って右側の脚筒４に至るように形成されていたり、右側の腕筒３から胴筒２の右側の脇部位及び腰部位を通って右側の脚筒４の先端に至るように形成されていたり、右側の腕筒３の先端から胴筒２の右側の脇部位及び腰部位を通って右側の脚筒４の先端に至るように形成されていたりすることが好ましい。第１開閉部７ａは、右側の腕筒３の先端から胴筒２の右側の脇部位及び腰部位を通って右側の脚筒４の先端に至るように形成されていることが特に好ましい。  
【００２２】
第２開閉部７ｂは、一方例えば左側の腕筒３から胴筒２の左側の脇部位及び腰部位を通って左側の脚筒４に至るように形成されていれば特に限定されないが、一端又は両端が腕筒３又は／及び脚筒４の先端まで形成されていることが好ましい。すなわち、第２開閉部７ｂは、左側の腕筒３の先端から胴筒２の左側の脇部位及び腰部位を通って左側の脚筒４に至るように形成されていたり、左側の腕筒３から胴筒２の左側の脇部位及び腰部位を通って左側の脚筒４の先端に至るように形成されていたり、左側の腕筒３の先端から胴筒２の左側の脇部位及び腰部位を通って左側の脚筒４の先端に至るように形成されていたりすることが好ましい。第２開閉部７ｂは、左側の腕筒３の先端から胴筒２の左側の脇部位及び腰部位を通って左側の脚筒４の先端に至るように形成されていることが特に好ましい。  
【００２３】
第３開閉部７ｃは、一方の脚筒４から股部位を通って他方の脚筒４に至るように形成されていれば特に限定されないが、一端又は両端が脚筒４の先端まで形成されていることが好ましく、特に両端が脚筒４の先端まで形成されていることが好ましい。  これらのように、第１〜第３開閉部７ａ、７ｂ、７ｃを形成することで、例え第１〜第３開閉部７ａ、７ｂ、７ｃを単独で開口しても開口部が大きいので、防護服１の着脱特に脱衣を簡単に行えることになる。  
【００２４】
さらに、開閉部７は、３つの第１〜第３開閉部７ａ、７ｂ、７ｃの他に第４開閉部７ｄを有してもよい。第４開閉部７ｄは、一方の腕筒３からフード５の一方の側部、頂部、他方の側部を通って他方の腕筒３に至るように形成されていれば特に限定されないが、一端又は両端が腕筒３の先端まで形成されていることが好ましく、特に両端が腕筒３の先端まで形成されて全部開くようになっていることが好ましい。このように、開閉部７は、第４開閉部７ｄを有し、３つの第１〜第３開閉部７ａ、７ｂ、７ｃ全てを有することで、４つの第１〜第４開閉部７ａ、７ｂ、７ｃ、７ｄ全てを開くことで、防護服１が略前後に２つ割りになるようになっている。  
【００２５】
ファスナ８としては、特に限定されず、例えば、プラスチック製などのスライドファスナ等が用いられる。ファスナ８は、咬合子と咬合子をお互いに咬合分離するスライダー８１を備えるものである。スライダー８１は、１つでも２つでもよいが、第１〜第４開閉部７ａ、７ｂ、７ｃ、７ｄの両端が先端にまで形成されている場合には、２つであることが好ましい。すなわち、第１〜第４開閉部７ａ、７ｂ、７ｃ、７ｄの両端が図１及び図２に示すように先端まで形成されている場合には、各第１〜第４開閉部７ａ、７ｂ、７ｃ、７ｄは、２つのスライダー８１を備えることが好ましい。  なお、腕筒３、胴筒２、フード５のファスナ８の裏面に、比翼のような補強帯体１７を取り付けるようにしてもよい。補強帯体１７は、スライダー８１（ファスナ８）の開閉を円滑に行えるようにするものであり、スライダー８１（ファスナ８）の開閉を円滑に行えるならば素材は特に限定されない。補強帯体１７の幅は、特に限定されず、例えば、７ｃｍである。補強帯体１７の取付箇所は、ファスナ８の裏面であれば特に限定されないが、腕筒３や胴筒２には少なくとも取り付けられていることが好ましく、さらに、フード５にも取り付けるようにしてもよい。
【００２６】
本発明に係る防護服１の着用は、第１〜第４開閉部７ａ、７ｂ、７ｃ、７ｄのうちの任意の１つ、２つ、３つ又は４つの開閉部７ａ、７ｂ、７ｃ、７ｄの２つのスライダー８１を当該開閉部７ａ、７ｂ、７ｃ、７ｄの両端までスライドさせて開閉部７を開く。このとき、第１〜第４開閉部７ａ、７ｂ、７ｃ、７ｄのうちの任意の１つでも開閉部７は大きな開口となる。この開閉部７の開口から体を入れ、開けた開閉部７ａ、７ｂ、７ｃ、７ｄの２つのスライダー８１を当該開閉部７ａ、７ｂ、７ｃ、７ｄの両端から引き上げながら例えば中央部で互いに接触又は近接させる。このとき、フード５は着用者の頭に被っているが、着用者は、防護服１を着る前に予め防護マスクを装着しておくため、フード５を頭に被ってから、着用者は防護マスクの目や鼻等の一部を顔出し窓６から突出させ、防護マスクに対する顔出し窓６の位置を調節し、粘着シート１６で防護マスクに顔出し窓６を仮止めする。仮止め後、ガムテープ等のシート状の粘着部材で顔出し窓６の全周を防護マスクに貼り付けて、防護マスクと顔出し窓６との間を密閉する。これにより、防護服１の着用が完了する。
【００２７】
このとき、顔出し窓６の縁部に伸縮性部材６１が取り付けられていると、顔出し窓６の大きさが可変するので、防護マスクの大きさや種類等が異なっても防護マスクの位置の調節を容易に確実に行える。また、顔出し窓６に仮止め用の粘着シート１６が取り付けられていることで、粘着部材で顔出し窓６の全周を防護マスクに貼り付ける際に、防護マスクに対する顔出し窓６の位置がずれ難いので、防護マスクと顔出し窓６との間を確実に密閉することができる。これにより、顔出し窓６から放射性物質が防護服１内に侵入するのが防止される。
【００２８】
防護服１を脱ぐには、第１〜第４開閉部７ａ、７ｂ、７ｃ、７ｄのうちの任意の１つ、２つ、３つ又は４つの開閉部７ａ、７ｂ、７ｃ、７ｄの２つのスライダー８１を当該開閉部７ａ、７ｂ、７ｃ、７ｄの両端までスライドさせて開閉部７を開く。これにより、防護服１を容易に脱ぐことができる。このとき、粘着部材及び粘着シート１６は、２つのスライダー８１を頂部からスライドさせる前に防護マスクから剥がしてもよいし、粘着部材及び粘着シート１６を防護マスクに貼り付けた状態で防護服１を脱ぎながら防護マスクを顔から取り外しても良い。このように、ファスナ８すなわちスライダー８１が防護服１の両側部に取り付けられているので、一人でスライダー８１をスライドさせることができる。すなわち、一人で防護服１を脱ぐことができる。
【００２９】
ファスナ８（開閉部７）は、顔出し窓６に繋がってないので、ガムテープ等の粘着部材や粘着シート１６で顔出し窓６を防護マスクに密閉する際に粘着部材や粘着シート１６が顔出し窓６から剥がれ易くなる箇所がない。その結果、顔出し窓６から防護服１内への放射性物質等の侵入を抑制することができる。
【００３０】
したがって、本発明に係る防護服１は、顔出し窓６から防護服１内への放射性物質等の侵入を抑制することができる。特に開閉部７が腕筒３の先端の袖口３２からフード５の両側部を通って当該フード５の頂部で繋がるように形成されていることで、フード５が前後に２つに割れるので、防護服１を脱ぐ際にフード５が頭から簡単に確実に脱げるので、防護服１内への放射性物質等の侵入をより一層抑制することができる。
【００３１】
腕筒３の手首部位の近傍に透光部１５を設けることで、腕筒３をめくり上げることなく、時計や着用者の前腕の手首近傍に装着した機械、機器等を視認することができ、防護服１内への放射性物質等の侵入を防止することができる。
【００３２】
胴筒２の胸部位の中央に窓状透光部１１が設けられていることで、着用者の胸に入れた警報付ポケット線量計（ＡＰＤ）等を外部から視認することができる。また、胴筒２の胸部位の裏面にポケット１２を設け、当該胴筒２の胸部の前面側に表面からポケット１２に通じる出入口１３を形成したことで、ポケット１２に入れたスマートフォンなどの通信機等を開閉部７をあけることなく取り出すことが可能となる。その結果、開閉部７をあけて線量計等を取り出す場合に比して放射性物質による身体への汚染を抑えることができる。このとき、胴筒２の胸部の前面側の表面に、出入口１３に被さるフラップ１４を設けることで、放射性物質による身体への汚染を一層抑えることができる。
【００３３】
なお、本実施形態では開閉部７を、一方例えば右側の腕筒３の先端から胴筒２の右側の脇部位を通って右側の腰部位に至る第１開閉部７ａと、他方例えば左側の腕筒３の先端から胴筒２の左側の脇部位を通って左側の腰部位に至る第２開閉部７ｂと、一方の腕筒３の先端からフード５の一方の側部、頂部、他方の側部を通って他方の腕筒３の先端に至る第４開閉部７ｄとで形成してもよい。また、開閉部７を、胴筒２の一方例えば右側の腰部位から右側の脚筒４の先端に至る第１開閉部７ａと、胴筒２の他方例えば左側の腰部位から左側の脚筒４の先端に至る第２開閉部７ｂと、一方の脚筒４の先端から股部位を通って他方の脚筒４の先端に至る第３開閉部７ｃとで形成してもよい。これらのように構成することで、防護服の略上半分や略下半分を２つ割りにした状態の開口を形成することができ、顔出し窓６から防護服１内への放射性物質等の侵入を抑制することができ、特に開閉部７が腕筒３の先端の袖口３２からフード５の両側部を通って当該フード５の頂部で繋がるように形成されていることで、フード５が前後に２つに割れるので、防護服を脱ぐ際にフード５が頭から簡単に確実に脱げるので、防護服内への放射性物質等の侵入をより一層抑制することができたり、上記とほぼ同様の作用効果を奏する。
【符号の説明】
【００３４】
１  第１の防護服
２  胴筒
３  腕筒
４  脚筒
５  フード
６  顔出し窓
７  開閉部
７ａ  第１開閉部
７ｂ  第２開閉部
７ｃ  第３開閉部
７ｄ  第４開閉部
８  ファスナ
１１  窓状透光部
１２  ポケット
１３  出入口
１４  フラップ
１５  透光部
１６  粘着シート
１７  補強帯体
１８  リング部
６１  伸縮性部材
【図１】
2017020134.tif 000003
【図２】
2017020134.tif 000004